【手続補正書】
【提出日】平成16年11月1日(2004.11.1)
【手続補正１】
【補正対象書類名】明細書
【補正対象項目名】特許請求の範囲
【補正方法】変更
【補正の内容】
【特許請求の範囲】
【請求項１】  少なくとも第１リンク・スパンと第２リンク・スパンを含んでいる複数のリンク・スパンを有する光サブリンクを確定する複数の操作上結合された光ファイバ・セグメントを備え、
第１リンク・スパンが大きさがゼロより大きい平均分散を有し、
第２リンク・スパンが大きさがゼロより大きい平均分散を有し、
光サブリンクがエンドツーエンド分散許容限度未満のエンドツーエンド分散を有する装置。
【請求項２】  分散許容限度が、第１リンク・スパンの平均分散の大きさ未満であり、かつ、第２リンク・スパンの平均分散の大きさ未満である、請求項１に記載の装置。
【請求項３】  前記複数の光ファイバ・セグメントが、少なくとも第１の光ファイバのタイプと第２の光ファイバのタイプから構築され、
第１の光ファイバのタイプが、正の分散Ｄ１と、正の分散勾配Ｄ’１を有し、
第２の光ファイバのタイプが、負の分散Ｄ２と、負の分散勾配Ｄ’２を有し、第２の光ファイバのタイプが、第１の光ファイバのタイプの相対分散勾配Ｄ’１／Ｄ１にほぼ等しい相対分散勾配Ｄ’２／Ｄ２を有する、請求項１に記載の装置。
【請求項４】  光サブリンクが、少なくとも第１光増幅器と、第２光増幅器と、第３光増幅器とをさらに含み、
第１リンク・スパンが、第１光増幅器と第２光増幅器の間にあり、
第２リンク・スパンが、第２光増幅器と第３光増幅器の間にある、請求項１に記載の装置。
【請求項５】  複数のリンク・スパンが、少なくともリンク・スパンの第１サブセットと訂正リンク・スパンをさらに含み、リンク・スパンの第１サブセットが、第１リンク・スパンと第２リンク・スパンを含み、
リンク・スパンの第１サブセットからの各リンク・スパンが、第１の光ファイバのタイプと第２の光ファイバのタイプを有し、訂正リンク・スパンが、第１の光ファイバのタイプを有し、
リンク・スパンの第１サブセットが、光の伝播方向に関して、訂正リンク・スパンの前に配置される、請求項３に記載の装置。
【請求項６】  複数のリンク・スパンが、リンク・スパンの第１サブセットと、リンク・スパンの第２サブセットと、訂正リンク・スパンとをさらに含み、リンク・スパンの第１サブセットが、第１リンク・スパンを含み、リンク・スパンの第２サブセットが、第２リンク・スパンを含み、
リンク・スパンの第１サブセットからの各リンク・スパンが、第１の光ファイバのタイプと第２の光ファイバのタイプを有し、リンク・スパンの第２サブセットからの各リンク・スパンが、第１の光ファイバのタイプと第の２光ファイバのタイプを有し、訂正リンク・スパンが、第１の光ファイバのタイプを有し、
訂正リンク・スパンが、リンク・スパンの第１サブセットとリンク・スパンの第２サブセットの間に配置される、請求項３に記載の装置。
【請求項７】  複数のリンク・スパンが、リンク・スパンの第１サブセットとリンク・スパンの第２サブセットをさらに含み、リンク・スパンの第１サブセットが第１リンク・スパンを含み、リンク・スパンの第２サブセットが第２リンク・スパンを含み、
リンク・スパンの第１サブセットからの各リンク・スパンが、第１の光ファイバのタイプと第２の光ファイバのタイプを有し、リンク・スパンの第２サブセットからの各リンク・スパンが、第１の光ファイバのタイプと第２の光ファイバのタイプを有し、
リンク・スパンの第１サブセットからの各リンク・スパンが、光の伝播方向において増加している累積分散を有し、
リンク・スパンの第２サブセットからの各リンク・スパンが、光の伝播方向において減少している累積分散を有する、請求項３に記載の装置。
【請求項８】  光サブリンクを確定する複数の操作上結合された光ファイバ・セグメントであって、光サブリンクが、少なくともリンク・スパンの第１サブセットと訂正リンク・スパンを含んでいる複数のリンク・スパンを有し、光サブリンクが、エンドツーエンド分散とエンドツーエンドの長さを有する、複数の動作するように結合された光ファイバ・セグメントとを備え、
リンク・スパンの第１サブセットからの各リンク・スパンは平均分散とリンク・スパンの長さを有し、
訂正リンク・スパンは平均分散と訂正リンク・スパンの長さを有し、
光サブリンクのエンドツーエンドの長さを乗算した光サブリンクのエンドツーエンド分散が、複数のリンク・スパンからの各リンク・スパンに対する平均分散とリンク・スパンの長さの積和から、訂正リンク・スパンの長さを乗算した訂正リンク・スパンの平均分散を引いたものにほぼ等しい装置。
【請求項９】  複数のリンク・スパンからの各リンク・スパンのリンク平均分散が、シンボル間干渉の開始未満である、請求項８に記載の装置。
【請求項１０】  前記複数の光ファイバ・セグメントが、少なくとも第１の光ファイバのタイプと第２の光ファイバのタイプから構築され、
第１の光ファイバのタイプが、正の分散Ｄ１と、正の分散勾配Ｄ’１を有し、
第２の光ファイバのタイプが、負の分散Ｄ２と、負の分散勾配Ｄ’２を有し、第２の光ファイバのタイプが、第１の光ファイバのタイプの相対分散勾配Ｄ’１／Ｄ１にほぼ等しい相対分散勾配Ｄ’２／Ｄ２を有する、請求項８に記載の装置。
【請求項１１】  複数のリンク・スパンからの各リンク・スパンが、第１の光ファイバのタイプと第２の光ファイバのタイプを有し、
訂正リンク・スパンが、第１の光ファイバのタイプを有し、
複数のリンク・スパンが、光の伝播方向に関して、訂正リンク・スパンの前に配置される、請求項１０に記載の装置。
【請求項１２】  複数のリンク・スパンが、リンク・スパンの第２サブセットをさらに含み、
リンク・スパンの第１サブセットからの各リンク・スパンが、第１の光ファイバのタイプと第２の光ファイバのタイプを有し、
リンク・スパンの第２サブセットからの各リンク・スパンが、第１の光ファイバのタイプと第２の光ファイバのタイプを有し、
訂正リンク・スパンが、第１の光ファイバのタイプを有し、
訂正リンク・スパンが、リンク・スパンの第１サブセットとリンク・スパンの第２サブセットの間に配置される、請求項１０に記載の装置。
【請求項１３】  各々がそれ自体の局所的な経路平均分散を有する複数のリンク・スパンを有する光リンクを確定する複数の操作上結合された光ファイバを備え、
複数のリンク・スパンが２レベル分散マップを確定する装置。
【請求項１４】  光リンクが、ゼロにほぼ等しい累積分散勾配を有する、請求項１３に記載の装置。
【請求項１５】  ２レベル分散マップが、第１部分と第２部分を含み、
２レベル分散マップの第１部分が、ゼロより大きい局所的な経路平均分散を有し、
２レベル分散マップの第２部分が、ゼロより大きい局所的な経路平均分散を有し、
２レベル分散マップの第１部分に関連し、かつ、２レベル分散マップの第２部分に関連するエンドツーエンド分散が、エンドツーエンド分散許容限度未満である、請求項１３に記載の装置。
【請求項１６】  ２レベル分散マップの第１部分が、光の伝播方向に関して、２レベル分散マップの第２部分の前に配置される、請求項１５に記載の装置。
【請求項１７】  ２レベル分散マップが、第１部分、第２部分、および第３部分を含み、
２レベル分散マップの第１部分が、ゼロより大きい平均分散を有し、
２レベル分散マップの第２部分が、ゼロより大きい平均分散を有し、
第３レベルの分散マップの第３部分が、ゼロより大きい平均分散を有し、
２レベル分散マップの第１部分、第２部分、および第３部分に関連するエンドツーエンド分散が、エンドツーエンド分散許容限度未満である、請求項１５に記載の装置。
【請求項１８】  ２レベル分散マップの第１部分が、光の伝播方向に関して、第１にオーダされ、
２レベル分散マップの第２部分が、光の伝播方向に関して第２にオーダされ、
２レベル分散マップの第３部分が、光の伝播方向に関して第３にオーダされる、請求項１７に記載の装置。
【請求項１９】  ２レベル分散マップが、第１部分と第２部分を含み、
２レベル分散マップの第１部分が、光の伝播方向において増加している累積分散を有し、
２レベル分散マップの第１部分が、光の伝播方向において減少している累積分散を有する、請求項１３に記載の装置。